(57)【特許請求の範囲】
【請求項１】
前側に表示面を有し、縦姿勢に配される表示素子及び該表示素子の周縁部から後側を覆い、前記表示素子との間に空間が生じるキャビネットを備える薄型テレビジョンにおいて、前記表示素子の後面に、該表示素子からの熱により発電を行う熱電変換モジュールが設けられ、該熱電変換モジュールが発電した電力により駆動され、前記空間内の空気を外部へ排気するためのファンを前記キャビネットに設けてあることを特徴とする薄型テレビジョン。
【請求項２】
前記ファンは前記キャビネットの上部に配置されている請求項１記載の薄型テレビジョン。
【請求項３】
前側に表示面を有し、縦姿勢に配される表示素子及び該表示素子の周縁部から後側を覆い、前記表示素子との間に空間が生じるキャビネットを備える薄型テレビジョンにおいて、前記表示素子の後面に、該表示素子からの熱により発電を行う熱電変換モジュールが設けられ、前記空間内に、電子部品が載置されている回路基板が前記後面及びキャビネットと前後に離隔して配置され、前記熱電変換モジュールが発電した電力により駆動され、前記空間内の空気を外部へ排気するためのファンを前記回路基板の周縁側に配置してあることを特徴とする薄型テレビジョン。
【請求項４】
前記空間内を、前記回路基板及び表示素子間の前側空間と、前記回路基板及びキャビネット間の後側空間とに分ける隔壁を備え、前記ファンは、前記前側空間内の空気を前記後側空間へ送るようになしてある請求項３記載の薄型テレビジョン。
【発明の詳細な説明】
【技術分野】
【０００１】
本発明は、液晶テレビジョン等の薄型テレビジョンに関し、詳しくは、発光に伴う発熱が生じる薄型テレビジョンに関する。
【背景技術】
【０００２】
液晶テレビジョンやプラズマテレビジョンは大画面化してきており、それに伴いバックライトやプラズマパネルの消費電力量が増大してきている。
【０００３】
【特許文献１】特開昭６２−２７０９２２号公報  特許文献１に記載された背景技術では透光性を有する太陽電池を液晶パネルと光源間に配置し、液晶パネルへの照射光によって発電するものがあった。
【特許文献２】特開平４−２９６８１４号公報  特許文献２に記載された背景技術では図６に示すように、ランプハウス８４の底部に太陽電池８３を設けてあり、発光管８２の光により発電するものがあった。
【特許文献３】特開２００４−３１２９８６号公報  特許文献３に記載された背景技術では図７に示すように、プロジェクター装置のランプ９１に熱電変換モジュール９３を取り付けランプ９１で発生する熱により発電するようにしたものがあった。
【特許文献４】特開平１１−３８８９１号公報  特許文献４に記載された背景技術では図８に示すように、テレビジョン受像機１０５において、CRT１０２とキャビネット１０１との間に熱電変換装置１０４を配置し、この熱電変換装置１０４により発電するようにしたものがあった。
【非特許文献１】西島健一：「熱電変換エネルギーを入力源とするDC-DCコンバータの特性とその応用に関する検討」,電子情報通信学会,信学技報TECHNICAL REPORT OF IEICE.EE2004-38(2004-11),pp13-pp18  非特許文献１に記載された背景技術では図９に示すように、発熱部品１１３（例えば、電源のヒートシンクやＣＰＵなど）に熱電デバイス１１１を貼り付け、その熱エネルギーを用いてFAN１１２を駆動させ、熱電変換による吸熱とFAN１１２による空冷で部品１１３ならびに機器１１０内部の冷却効果を図るものがあった。
【発明の開示】
【発明が解決しようとする課題】
【０００４】
特許文献１に記載された技術では、太陽電池に光が吸収されるため、光源からの光の利用効率が低下するという問題があった。
【０００５】
また、特許文献２に記載された技術では、太陽電池の反射率が低いため、光源からの光の利用効率が低下するという問題があった。
【０００６】
また、特許文献３に記載された技術は、プロジェクター装置に関するものであり、直視型の液晶テレビジョンやプラズマテレビジョンについて利用できない。
【０００７】
また、特許文献４に記載された技術は、発電にのみ係わるもので、発電した電力の利用については何も新規な技術を提供しない。
【０００８】
また、非特許文献１に記載された技術は、一般的な電子機器の冷却にのみ係わるもので、薄型表示装置への適応については何も新規な技術を提供しない。
【課題を解決するための手段】
【０００９】
本発明の薄型テレビジョンでは表示素子からの熱により発電し、この発電した電力によりファンを駆動し、前記ファンによる空気流により薄型テレビジョンを冷却する。
【発明の効果】
【００１０】
本発明の薄型テレビジョンでは表示素子からの熱エネルギーにより冷却を行なうため、製品の省電力化を図ることができる。
【発明を実施するための最良の形態】
【００１１】
以下、本発明にかかる薄型テレビジョンの各実施形態を図面を用いて説明する。
【００１２】
（第１実施形態）
図１は、本発明の第１実施形態にかかる液晶テレビジョンの側断面図である。図１において、３０は液晶パネル、３１は蛍光管、３２は反射板、３３は熱電変換モジュール、３４はファンである。反射板３２の裏面の蛍光管３１と対向する箇所に熱電変換モジュール３３を配置してある。
【００１３】
液晶テレビジョンの電源を投入し、作動させると蛍光管３１が点灯しそれに伴い熱が発生する。この熱が反射板３２の蛍光管３１に近い箇所に伝わる。この熱を元に熱電変換モジュール３３は発電作用を行う。
【００１４】
そして、熱電変換モジュール３３で発電された電力はリード線によりファン３４に伝わり、ファン３４を作動させる。このファン３４によりキャビネット３５内の熱い空気が外部へ排出され、液晶テレビジョンは冷却され温度が低下する。
【００１５】
図１において、ファン３４をキャビネット３５の背面の上部に設け、キャビネット３５の底面に吸気口３６を設けている。吸気口３６を底面に設けたことにより部屋の埃の吸い込みが少なくなり、テレビジョン内部への埃の堆積を軽減できる。また、吸気口３６を下部にファン３４からの排気を上部に配置したことにより、テレビジョン内部の発熱による自然な空気の対流の流れに沿った空気の循環が可能となり、冷却効率が高まる。
【００１６】
（第２実施形態）
図２は、本発明の第２実施形態にかかる液晶テレビジョンの側断面図である。図２において、キャビネット３５の底面に吸気口３６を設け、キャビネット３５の背面の上部に排気口３７を設けている。反射板３２とキャビネット３５の背面との間に回路基板３８を取り付け、回路基板３８の下端部にファン３４を配置し、反射板３２と回路基板３８との間の空間（Ａ）と回路基板３８とキャビネット３５の背面との間の空間（Ｂ）とは、隔壁３９，４０により遮蔽され空気の流通はファン３４以外では発生しない。
【００１７】
この構成においては、熱電変換モジュール３３で発電された電力によりファン３４が作動すると空間（Ａ）内の空気が空間（Ｂ）内に排出され、これに伴い、吸気口３６から外気が流入し、ファン３４を通過した後、空間（Ｂ）内で回路基板３８の発熱により暖められ、その後、排気口３７からテレビジョンの外へ排出される。
【００１８】
なお、この構成によれば、回路基板３８とキャビネット３５の背面との間にはファン３４を配置していないので、液晶テレビジョンの薄型化を図ることが出来る。
【００１９】
また、回路基板３８上の電子部品４１は反射板３２と対向する面に配置しているため、空間（Ｂ）を通過する外気に含まれる埃が電子部品４１に付着することは無いので、長期間の使用においても回路基板３８の埃による故障を防ぐことが出来る。
【００２０】
（第３実施形態）
図３は、本発明の第３実施形態にかかるプラズマテレビジョンの側断面図である。図３において、４０はプラズマディスプレイパネル、４３は熱電変換モジュール、４４はファンである。
【００２１】
プラズマテレビジョンの電源を投入し、作動させるとプラズマディスプレイパネル４０が発光表示しそれに伴い熱が発生する。この熱を元に熱電変換モジュール４３は発電作用を行う。
そして、熱電変換モジュール４３で発電された電力はリード線によりファン４４に伝わり、ファン４４を作動させる。このファン４４によりキャビネット４５内の熱い空気が外部へ排出され、プラズマテレビジョンは冷却され温度が低下する。
【００２２】
（第４実施形態）
図４は、本発明の第４実施形態にかかるプラズマテレビジョンの側断面図である。図４において、キャビネット６５の底面に吸気口６６を設け、キャビネット６５の背面の上部に排気口６７を設けている。プラズマディスプレイパネル６０とキャビネット６５の背面との間に回路基板６８を取り付け、回路基板６８の下端部にファン６４を配置し、プラズマディスプレイパネル６０と回路基板６８との間の空間（Ａ）と回路基板６８とキャビネット６５の背面との間の空間（Ｂ）とは、隔壁６９，７０により遮蔽され空気の流通はファン６４以外では発生しない。
【００２３】
この構成においては、熱電変換モジュール６３で発電された電力によりファン６４が作動すると空間（Ａ）内の空気が空間（Ｂ）内に排出され、これに伴い、吸気口６６から外気が流入し、ファン６４を通過した後、空間（Ｂ）内で回路基板６８の発熱により暖められ、その後、排気口６７からプラズマテレビジョンの外へ排出される。
【００２４】
この実施形態では、上記の第２実施形態と同様の効果を有する。
【００２５】
（第５実施形態）
図５は、図１の液晶テレビジョンの背面図である。図５において、３４ａ，３４ｂ，３４ｃはファンで、３５はキャビネットである。図１の熱電変換モジュール３３にて発生した電力を用いて、ファン３４ａ，３４ｂ，３４ｃを駆動するのであるが、発生した電力量に応じて作動させるファンを切り換えている。電力量が多い時はファン３４ａ，３４ｂ，３４ｃの３個を作動させ、電力量が中くらいの時はファン３４ａ，３４ｃの２個を作動させ、電力量が少ない時はファン３４ｂの１個を作動させる。このように動作させることにより、発電量に応じて効率よくファンを作動させることができる。
【００２６】
上記の実施形態では前記表示素子はプラズマディスプレイパネル、液晶パネルとバックライトを組み合わせたもので説明したが、EL(Electro Luminescence)、FED(Field Emission Display)、SED(Surface-Conduction Electron-Emitter Display)等の薄型テレビジョンに適用することもできる。
【図面の簡単な説明】
【００２７】
【図１】本発明の第１実施形態にかかる液晶テレビジョンの側断面図である。
【図２】本発明の第２実施形態にかかる液晶テレビジョンの側断面図である。
【図３】本発明の第３実施形態にかかるプラズマテレビジョンの側断面図である。
【図４】本発明の第４実施形態にかかるプラズマテレビジョンの側断面図である。
【図５】図１の液晶テレビジョンの背面図である。
【図６】特許文献２に記載された背景技術の説明図である。
【図７】特許文献３に記載された背景技術の説明図である。
【図８】特許文献４に記載された背景技術の説明図である。
【図９】非特許文献１に記載された背景技術の説明図である。
【符号の説明】
【００２８】
３０  液晶パネル
３１  蛍光管
３２  反射板
３３  熱電変換モジュール
３４  ファン
３５  キャビネット
３６  吸気口
３８  回路基板
【図１】
0004628164.tif 000002
【図２】
0004628164.tif 000003
【図３】
0004628164.tif 000004
【図４】
0004628164.tif 000005
【図５】
0004628164.tif 000006
【図６】
0004628164.tif 000007
【図７】
0004628164.tif 000008
【図８】
0004628164.tif 000009
【図９】
0004628164.tif 000010